(57)【特許請求の範囲】
【請求項１】
親子電話機における親機に載置される子機となる通信装置であって、
着信中に、情報を表示する表示部と、
上記親機に載置されているか否かを判定する載置判定部と、
上記親機に載置されているか否かにより、着信中に上記表示部に表示する上記情報の内容を異ならせる表示制御部と、を備え、
上記親子電話機は、着信中に、上記載置判定部が上記親機に載置された状態から載置されない状態となったと判定したとき該着信に応答するものであり、
上記表示制御部は、上記親機に載置されている場合、上記親機および上記子機に対する操作を求める情報とは異なる情報を上記表示部に表示するものであり、
さらに、上記表示制御部は、上記着信の発信元が登録されていない場合、上記親機に載置されているか否かにより、着信中に上記表示部に表示する上記情報の内容を異ならせることを特徴とする通信装置。
【請求項２】
上記子機に対する操作を受け付ける操作受付部と、
上記親機に載置中は、上記操作受付部における操作の受付を停止する操作制御部と、を備えていることを特徴とする請求項１に記載の通信装置。
【請求項３】
上記表示制御部は、上記親機および上記子機に対する操作を求める情報とは異なる情報を上記表示部に表示後、上記親機および上記子機に対する操作を求める情報を上記表示部に表示することを特徴とする請求項１に記載の通信装置。
【請求項４】
子機が親機に載置される親子電話機であって、
上記親機および上記子機の両方に、表示部および操作受付部が設けられ、
着信中に、上記子機が、上記親機に載置された状態から載置されない状態となったとき、該着信に応答するものであり、
着信中、上記親機の表示部にのみ、親機に対する操作を求める情報を表示する表示制御部を備え
上記表示制御部は、上記着信の発信元が登録されていない場合、上記親機に載置されているか否かにより、着信中に上記表示部に表示する上記情報の内容を異ならせることを特徴とする親子電話機。
【請求項５】
親子電話機における親機に載置される子機となる通信装置の制御方法であって、
着信中に、表示部に情報を表示する表示ステップと、
上記親機に載置されているか否かを判定する載置判定ステップと、
上記載置判定ステップで判定された上記親機に載置されているか否かにより、上記表示ステップで表示している上記情報の内容を異ならせる表示制御ステップと、を含み、
上記親子電話機は、着信中に、上記載置判定ステップで上記親機に載置された状態から載置されない状態となったと判定したとき該着信に応答するものであり、
上記表示制御ステップでは、上記親機に載置されている場合、上記親機および上記子機に対する操作を求める情報とは異なる情報を上記表示部に表示するものであり、さらに、上記着信の発信元が登録されていない場合、上記親機に載置されているか否かにより、着信中に上記表示部に表示する上記情報の内容を異ならせるものであることを特徴とする通信装置の制御方法。
【発明の詳細な説明】
【技術分野】
【０００１】
本発明は、親機に子機が載置される形式の親子電話の子機として用いられる通信装置等に関する。
【背景技術】
【０００２】
近年、電話機の受話器が子機として機能する、いわゆる受話子機となったものが普及している。受話子機は、電話機本体（親機）と無線で通信可能（ワイヤレス）であるとともに、受話子機自体に表示部、および操作部等が設けられ、受話子機単体で操作等を行うことができるものである。
【０００３】
受話子機は、上述の通り受話器としての機能を有しているので、着信時に、受話子機が電話機本体（親機）に載置されている状態から載置されていない状態となったとき、オフフックとなり、着信に応答する。また、電話機本体（親機）に載置中は、受話子機の操作部は操作を受け付けない状態（キーロック状態）となっているものが多い。
【０００４】
また、近年、迷惑電話等が増加していることから、不明な発信元からの着信に対し、発信元の名前等を問い合わせる機能を有する電話機も登場している。
【０００５】
また、特許文献１には、親機に子機が載置される形式の電話装置（親子電話機）において、子機の載置の有無に応じて、親機に対する操作の有効性を決定する電話装置が記載されている。
【先行技術文献】
【特許文献】
【０００６】
【特許文献１】特開２００５−２８６３７５号公報（２００５年１０月１３日公開）
【発明の概要】
【発明が解決しようとする課題】
【０００７】
しかしながら、上述のような従来技術は以下の問題がある。すなわち、従来技術では、不明な発信元に対し、名前等を問い合わせたときに、発信元の回答が不明瞭な場合、再度の問い合わせを行うか否か等の操作をユーザに求めている。
【０００８】
この場合、ユーザは、操作部を操作して上記問い合わせを実行することになるが、上述した通り、受話子機が親機に載置中は受話子機の操作部に対する操作は受け付けられない。そこで、ユーザが、受話子機を持ち上げる等を行ってしまうと、上述の通り着信に対し応答してしまうことになり、名前等の問い合わせが無意味なものとなってしまう。
【０００９】
本発明は、上記の問題点に鑑みてなされたものであり、その目的は、ユーザが誤って着信に応答してしまうことを防ぐ通信装置等を実現することにある。
【課題を解決するための手段】
【００１０】
上記の課題を解決するために、本発明に係る通信装置は、親子電話機における親機に載置される子機となる通信装置であって、着信中に、情報を表示する表示部と、上記親機に載置されているか否かを判定する載置判定部と、上記親機に載置されているか否かにより、着信中に上記表示部に表示する上記情報の内容を異ならせる表示制御部と、を備え、上記親子電話機は、着信中に、上記載置判定部が上記親機に載置された状態から載置されない状態となったと判定したとき該着信に応答するものであり、上記表示制御部は、上記親機に載置されている場合、上記親機および上記子機に対する操作を求める情報とは異なる情報を上記表示部に表示するものであり、さらに、上記表示制御部は、上記着信の発信元が登録されていない場合、上記親機に載置されているか否かにより、着信中に上記表示部に表示する上記情報の内容を異ならせる構成である。
【００１１】
上記の課題を解決するために、本発明に係る親子電話機は、子機が親機に載置される親子電話機であって、上記親機および上記子機の両方に、表示部および操作受付部が設けられ、着信中に、上記子機が、上記親機に載置された状態から載置されない状態となったとき、該着信に応答するものであり、着信中、上記親機の表示部にのみ、親機に対する操作を求める情報を表示する表示制御部を備え、上記表示制御部は、上記着信の発信元が登録されていない場合、上記親機に載置されているか否かにより、着信中に上記表示部に表示する上記情報の内容を異ならせる構成である。
【００１２】
上記の課題を解決するために、本発明に係る通信装置の制御方法は、親子電話機における親機に載置される子機となる通信装置の制御方法であって、着信中に、表示部に情報を表示する表示ステップと、上記親機に載置されているか否かを判定する載置判定ステップと、上記載置判定ステップで判定された上記親機に載置されているか否かにより、上記表示ステップで表示している上記情報の内容を異ならせる表示制御ステップと、を含み、上記親子電話機は、着信中に、上記載置判定ステップで上記親機に載置された状態から載置されない状態となったと判定したとき該着信に応答するものであり、上記表示制御ステップでは、上記親機に載置されている場合、上記親機および上記子機に対する操作を求める情報とは異なる情報を上記表示部に表示するものであり、さらに、上記着信の発信元が登録されていない場合、上記親機に載置されているか否かにより、着信中に上記表示部に表示する上記情報の内容を異ならせる方法である。
【発明の効果】
【００１３】
本発明によれば、上記の構成によれば、親機に載置されているか否かによって、着信中に表示部に表示される情報の内容が異なる。これにより、親機に載置されているか否かに応じた情報の表示を行うことができる。例えば、親機に載置されているか否かによって、着信中の自装置の機能が異なる場合、それぞれの機能に対応させた情報の表示を行うことができるという効果を奏する。
【図面の簡単な説明】
【００１４】
【図１】本実施形態に係る親子電話機の要部構成を示すブロック図である。
【図２】上記親子電話機の概要を示す図である。
【図３】上記親子電話機における、電話機本体（親機）および受話子機における表示画面例を示す図であって、発信元が登録され、受話子機が電話機本体（親機）に載置されている場合の図である。
【図４】上記親子電話機における、電話機本体（親機）および受話子機における表示画面例を示す図であって、発信元が登録されておらず、受話子機が電話機本体（親機）に載置されている場合の図である。
【図５】上記親子電話機における、電話機本体（親機）および受話子機における表示画面例を示す図であって、発信元が登録され、受話子機が電話機本体（親機）に載置されていない場合の図である。
【図６】上記親子電話機における、電話機本体（親機）および受話子機における表示画面例を示す図であって、発信元が登録されておらず、受話子機が電話機本体（親機）に載置されていない場合の図である。
【図７】上記親子電話機における、電話機本体（親機）および受話子機における表示画面例を示す図であって、発信元が登録されておらず、受話子機が電話機本体（親機）に載置されていない場合の図である。
【図８】上記親子電話機の受話子機における処理の流れを示すフローチャート図である。
【図９】上記親子電話機の受話子機における処理の流れを示すフローチャート図である。
【発明を実施するための形態】
【００１５】
〔実施形態１〕
以下、本発明の実施の形態について、詳細に説明する。まず、図２を参照して、本実施形態に係る親子電話機１００の概要について説明する。図２は、親子電話機１００の概要を示す図である。
【００１６】
〔親子電話機１００の概要〕
図２に示すように、親子電話機１００は、電話機本体（親機）１に受話子機（通信装置）２が載置可能な電話機であり、受話子機２が、親子電話機１００の受話器としての機能を有するとともに、電話機本体（親機）１と無線で通信可能となっているものである。なお、本実施形態では、電話機本体（親機）１と受話子機２とは無線により通信可能なものとして説明するが、これに限られるものではなく、有線で通信可能なものであってもよい。
【００１７】
受話子機２は、表示部（子機）２０４、音声入出力部（子機）２０５、入力受付部（子機）２０７を備え、受話子機２のみで親子電話機１００に対する操作を行うことができるものである。
【００１８】
また、受話子機２の入力受付部（子機）２０７は、電話機本体（親機）１に載置中であっても自機に対する操作を受け付けるものであってもよいし、電話機本体（親機）１に載置中は、自機に対する操作を受け付けず、電話機本体（親機）１に載置されていないときに、操作を受け付けるものであってもよい。
【００１９】
また、着信中に、受話子機２が、電話機本体（親機）１に載置されている状態から載置されていない状態となったとき、いわゆるオフフックとなり、着信に応答する。
【００２０】
以上のように、受話子機２は、一般の電話機における受話器の機能を有するとともに、独立した状態、換言すれば、電話機本体（親機）１に載置されていない状態では、電話機としての機能を有する。
【００２１】
そして、本実施形態では、図２に示すように、受話子機２の表示部（子機）２０４をユーザが認識可能なように電話機本体（親機）１に載置できる。よって、この状態で、親子電話機１００に対する操作を求めるような情報を表示部（子機）２０４に表示した場合、ユーザは、入力受付部（親機）６０ではなく、入力受付部（子機）２０７に対し操作を行おうとして、受話子機２を持ちあげる（受話子機２が電話機本体（親機）１に載置された状態から載置されていない状態とする）可能性がある。
【００２２】
そして、ユーザが、受話子機２に対して操作を行うために、受話子機２を取り上げる（電話機本体（親機）１に載置されている状態から載置されていない状態とする）行為を行った場合、着信中であれば、着信に応答してしまうことになる。
【００２３】
これは、ユーザが意図せずに、着信に応答してしまうことになり好ましくない。そこで、本実施形態では、受話子機２が電話機本体（親機）１に載置されている場合、受話子機２の表示部（子機）２０４に、親子電話機１００に対する操作を求めるような情報を表示しない。
【００２４】
これにより、本実施形態では、ユーザが意図していないにもかかわらず、着信に応答してしまうということを防止することができる。
【００２５】
〔親子電話機１００の詳細〕
次に、図１を参照して親子電話機１００の詳細について説明する。図１は、親子電話機１００の要部構成を示すブロック図である。
【００２６】
図１に示すように、親子電話機１００は電話網３と接続された電話機であり、電話機本体（親機）１と電話機本体（親機）１に載置可能な受話子機（子機）２とを備えている。
【００２７】
また、図１に示すように、電話機本体（親機）１は、制御部１０、外線通信部２０、通信部（親機）３０、鳴動部（親機）４０、表示部（親機）５０、入力受付部（親機）６０、音声入出力部（親機）７０、および記憶部８０を備えている。
【００２８】
制御部１０は、電話機本体（親機）１における各種処理を統括して制御するものであり、通話処理部１１、着信処理部１２、および表示制御部（親機）１４を含む。
【００２９】
通話処理部１１は、電話機本体（親機）１における通話を処理する。より詳細には、電話機本体（親機）１において通話を実行している場合、外線通信部２０を介して取得した通話データを音声入出力部（親機）７０に送信するとともに、音声入出力部（親機）７０から入力された音声を通話データとして外線通信部２０、電話網３を介して相手方電話機に送信する。
【００３０】
着信処理部１２は、着信時の処理を実行するものであり、登録判定部１３を含む。より詳細には、着信処理部１２は、着信時に鳴動部（親機）４０に鳴動を指示するとともに、通信部（親機）３０を介して受話子機２に着信を通知する。
【００３１】
また、後述する登録判定部１３による発信元電話番号の登録の有無により、着信処理を変更する。着信処理の詳細については後述する。
【００３２】
登録判定部１３は、着信時に発信元の電話番号が、電話帳データ８１に登録されているか否かを判定し、その結果を表示制御部（親機）１４、および通信部（親機）３０に通知する。
【００３３】
表示制御部（親機）１４は、登録判定部１３による発信元電話番号の登録の有無に応じて、表示部（親機）５０に、着信を示す表示を行う。表示部（親機）５０に表示する内容の詳細については後述する。
【００３４】
外線通信部２０は、電話網３と接続され、電話網３を介して相手方電話機との通信を行う。
【００３５】
通信部（親機）３０は、受話子機２との通信を行うものである。より詳細には、着信処理部１２から通知された着信、および登録判定部１３から通知された判定結果を受話子機２に通知するとともに、受話子機２による通話中は、外線通信部２０を介して取得して通話データを受話子機２に送信するとともに、受話子機２から取得した通話データを外線通信部２０に送信する。
【００３６】
鳴動部（親機）４０は、着信処理部１２からの指示に従い、着信時に着信音を鳴動する。
【００３７】
表示部（親機）５０は、表示制御部（親機）１４の指示に従い、各種情報を表示する。
【００３８】
入力受付部（親機）６０は、電話機本体（親機）１に対する操作入力を受け付けるものであり、テンキーおよび各種入力キーで構成されている。
【００３９】
音声入出力部（親機）７０は、電話機本体（親機）１から音声を出力するスピーカ、および電話機本体（親機）１への音声の入力を受け付けるマイクである。例えば、通話時であれば、相手方の音声がスピーカを通して出力され、ユーザの音声はマイクを通して、相手方へ通知される。
【００４０】
記憶部８０は、電話機本体（親機）１で用いる各種データを格納している他、電話帳データ８１を格納している。
【００４１】
電話帳データ８１は、電話番号と氏名または名称とが対応付けられたテーブルである。
【００４２】
また、図１に示すように、受話子機２は、通信部（子機）２０１、載置判定部（操作制御部）２０２、表示制御部（子機）２０３、表示部（子機）２０４、音声入出力部（子機）２０５、鳴動部（子機）２０６、および入力受付部（子機）（操作受付部、操作制御部）２０７を備えている。
【００４３】
通信部（子機）２０１は、電話機本体（親機）１の通信部（親機）３０を介して電話機本体（親機）１と通信を行う。
【００４４】
載置判定部２０２は、受話子機２が電話機本体（親機）１に載置されているか否かを判定し、その結果を表示制御部（子機）２０３に通知する。載置判定は、受話子機２が充電中か否かにより行ってもよいし、電話機本体（親機）１との距離に応じて行ってもよいし、物理的なスイッチ等により行ってもよい。
【００４５】
表示制御部（子機）２０３は、載置判定部２０２の判定結果に応じて、異なる表示を表示部（子機）２０４に行う。表示部（子機）２０４に表示する内容の詳細については後述する。
【００４６】
表示部（子機）２０４は、表示制御部（子機）２０３の指示に従い、各種情報を表示する。
【００４７】
音声入出力部（子機）２０５は、受話子機２から音声を出力する受話部、および受話子機２への音声の入力を受け付ける送話部である。例えば、通話時であれば、相手方の音声が受話部を通して出力され、ユーザの音声は送話部を通して、相手方へ通知される。
【００４８】
鳴動部（子機）２０６は、着信時に着信音を鳴動する。なお、鳴動は、受話子機２が電話機本体（親機）１に載置されていない場合のみ行う構成であってもよい。
【００４９】
入力受付部（子機）２０７は、受話子機２に対する操作入力を受け付けるものであり、テンキーおよび各種入力キーで構成されている。上述したように、入力受付部（子機）２０７は、受話子機２が電話機本体（親機）１に載置されているときは、入力操作を受け付けない。
【００５０】
〔表示処理〕
次に、図３〜図７を参照して、電話機本体（親機）１および受話子機２における、着信中の表示内容、およびその遷移について説明する。以下では、受話子機２が電話機本体（親機）１に載置されている場合と載置されていない場合、および発信元の電話番号が電話帳データ８１に登録されている場合とされていない場合とで分けて説明する。
【００５１】
〔受話子機２が電話機本体（親機）１に載置されている場合〕
〔発信元が登録されている場合〕
まず、図３を参照して、受話子機２が電話機本体（親機）１に載置されており、発信元の電話番号が電話帳データ８１に登録されている場合の表示画面、およびその遷移について説明する。図３は、電話機本体（親機）１および受話子機２における表示画面例を示す図である。
【００５２】
図３に示すように、着信があると、電話機本体（親機）１および受話子機２ともに着信を示す画面（画面例３０１、および画面例３１１）が表示される。次に、発信元の電話番号が電話帳データ８１に登録されているので、発信元を示す情報が表示される。ここでは、「○○○○」（発信元の氏名または名称）と「１２３４５６７８９０」（発信元の電話番号）が表示されている（画面例３０２、および画面例３１２）。
【００５３】
ここで、電話機本体（親機）１においてスピーカボタンが押下されると、着信に応答する。このとき、電話機本体（親機）１の表示部（親機）５０には「通話録音開始  ［停止］で終了  録音は最大約１０分」と表示される（画面例３０３）。これは、電話機本体（親機）１における処理の内容を示している。また、受話子機２の表示部（子機）２０４には、「受話子機  外線使用中」と表示されるとともに、アンテナレベルが表示される（画面例３１３）。
【００５４】
その後、通話が続いている間、電話機本体（親機）１の表示部（親機）５０には、電話番号、通話時間、操作説明が表示される（画面例３０４）。また、受話子機２の表示部（子機）２０４には、画面例３１３から変化は無く、「受話子機  外線使用中」と表示されるとともに、アンテナレベルが表示される（画面例３１４）。
【００５５】
その後、受話子機２を電話機本体（親機）１に載置されている状態から載置されていない状態にした場合、オフフックとなり、受話子機２で通話可能な状態となる。このとき、電話機本体（親機）１における音声入出力部（親機）７０からの出力（スピーカからの出力）は無くなるとともに、表示部（親機）５０には、画面例３０４から変化無く、電話番号、通話時間、操作説明が表示される（画面例３０５）。
【００５６】
一方、受話子機２の表示部（子機）２０４には、発信元の電話番号、通話時間、アンテナレベルが表示される（画面例３１５）。
【００５７】
なお、図中のＳＰはスピーカーモードを示し、ＥＰはイヤーピースモードを示す。スピーカーモードとは、電話機本体（親機）１および受話子機２に備えられたスピーカおよびマイクを通じて通話ができるモードであり、イヤーピースモードは、受話子機２に備えられた受話部および送話部を通じて通話ができるモードである。
【００５８】
〔発信元が登録されていない場合〕
次に、図４を参照して、受話子機２が電話機本体（親機）１に載置されており、発信元の電話番号が電話帳データ８１に登録されていない場合の表示画面、およびその遷移について説明する。図４は、電話機本体（親機）１および受話子機２における表示画面例を示す図である。
【００５９】
図４に示すように、着信があると、電話機本体（親機）１および受話子機２ともに着信を示す画面（画面例４０１、および画面例４１１）が表示される。次に、発信元の電話番号が電話帳データ８１に登録されていないので、発信元の電話番号が表示される。なお、発信元の電話番号を認識できない場合は、その旨（例えば、「非通知」）が表示される。ここでは、「１２３４５６７８９０」（発信元の電話番号）が表示されている（画面例４０２、および画面例４１２）。
【００６０】
ここで、発信元の電話番号が登録されていないので、電話機本体（親機）１において発信元に対し、名前を確認するメッセージが送信される。このとき、電話機本体（親機）１の表示部（親機）５０には発信元の電話番号と「お名前確認中」との表示がされる（画面例４０３）。
【００６１】
一方、受話子機２の表示部（子機）２０４には、電話機本体（親機）１において応答している旨の表示（画面例４１３）がされる。
【００６２】
次に、電話機本体（親機）１の表示部（親機）５０には、「［１］：繰り返し  ［０］：拒否する」と表示される（画面例４０４、電話機本体（親機）１に対する操作を求める情報の表示）。これは、発信元に対し、名前を確認するメッセージを再度送信するか、または着信を拒否するかをユーザに選択させる画面である。ここでは、「１」が選択された場合、名前を確認するメッセージを再度送信し、「０」が選択された場合、着信を拒否する。
【００６３】
このとき、受話子機２の表示部（子機）２０４には、電話機本体（親機）１で応答中である旨の表示（画面例４１４、電話機本体（親機）１に対する操作を求める情報とは異なる情報の表示）がされる。なお、画面例４１４の代わりに、または画面例４１４の表示に加え、受話子機２に対する操作の注意点、例えば、電話機本体（親機）１に載置されている間は、操作はできない点、受話子機２を持ち上げると、着信に対し応答する点を表示してもよい。
【００６４】
その後、電話機本体（親機）１において「１」が選択されると、画面例４０３と同様に、発信元の電話番号と「お名前確認中」との表示がされる（画面例４０５ａ）。また、電話機（親機）１において「０」が選択されると、「お断り応答中  お断り番号に登録します」との表示がされる（画面例４０５ｂ）。一方、このときの受話子機２の表示部（子機）２０４には、画面例４１４の表示が継続されている。
【００６５】
その後、受話子機２を電話機本体（親機）１に載置されている状態から載置されていない状態にした場合、オフフックとなり、受話子機２で通話可能な状態となる。このとき、電話機本体（親機）１の表示部（親機）５０には、「通話録音開始  ［停止］で終了  録音は最大約１０分」と表示される（画面例４０６）。これは、電話機本体（親機）１における処理の内容を示している。また、受話子機２の表示部（子機）２０４には「通話録音開始  停止は［メニュー］から選択」と表示される（画面例４１６）。
【００６６】
そして、通話が開始されると、電話機本体（親機）１の表示部（親機）５０には、電話番号、通話時間、操作説明が表示される（画面例４０７）。また、受話子機２の表示部（子機）２０４には、発信元の電話番号、通話時間、アンテナレベルが表示される（画面例４１７）。
【００６７】
なお、画面例４１３’、画面例４１４’、および画面例４１５’は、従来における受話子機２の表示例を示す。
【００６８】
以上のように、本実施形態では、電話機本体（親機）１において、選択画面（画面例４０４）を表示しているとき、従来では、受話子機２でも同様の選択画面（画面例４１４’）を表示したところ、同様の選択画面を表示しない（画面例４１４）。
【００６９】
従来のように、受話子機２に、選択画面が表示されている場合、ユーザが受話子機２を操作して選択を実行しようと、受話子機２を取り上げる（すなわち、電話機本体（親機）１に載置された状態から載置されていない状態とする）可能性がある。しかし、受話子機２を取り上げると、着信に対し応答してしまうため、ユーザの意図しない形で着信に応答してしまうことになる。
【００７０】
本実施形態では、上述の通り受話子機２に選択画面を表示しないので、上記のようにユーザが意図しない応答をしてしまうことを防止することができる。
【００７１】
〔受話子機２が載置されていない場合〕
〔登録されている場合〕
次に、図５を参照して、受話子機２が電話機本体（親機）１に載置されておらず、発信元の電話番号が電話帳データ８１に登録されている場合の表示画面、およびその遷移について説明する。図５は、電話機本体（親機）１および受話子機２における表示画面例を示す図である。
【００７２】
図５に示すように、着信があると、電話機本体（親機）１および受話子機２ともに着信を示す画面（画面例５０１、および画面例５１１）が表示される。次に、発信元の電話番号が電話帳データ８１に登録されているので、発信元を示す情報が表示される。ここでは、「○○○○」（発信元の氏名または名称）と「１２３４５６７８９０」（発信元の電話番号）が表示されている（画面例５０２、および画面例５１２）。
【００７３】
ここで、電話機本体（親機）１においてスピーカボタンが押下されると、着信に応答する。このとき、電話機本体（親機）１の表示部（親機）５０には「通話録音開始  ［停止］で終了  録音は最大約１０分」と表示される（画面例５０３）。これは、電話機本体（親機）１における処理の内容を示している。また、受話子機２の表示部（子機）２０４には、「受話子機  外線使用中」と表示されるとともに、アンテナレベルが表示される（画面例５１３）。
【００７４】
その後、通話が続いている間、電話機本体（親機）１の表示部（親機）５０には、電話番号、通話時間、操作説明が表示される（画面例５０４）。また、受話子機２の表示部（子機）２０４には、画面例５１３から変化は無く、「受話子機  外線使用中」と表示されるとともに、アンテナレベルが表示される（画面例５１４）。
【００７５】
その後、受話子機２のオフフックキー（図示せず）を押下した場合、オフフックとなり、受話子機２で通話可能な状態となる。このとき、電話機本体（親機）１における音声入出力部（親機）７０からの出力（スピーカからの出力）は無くなるとともに、表示部（親機）５０には、画面例５０４から変化無く、電話番号、通話時間、操作説明が表示される（画面例５０５）。
【００７６】
一方、受話子機２の表示部（子機）２０４には、発信元の電話番号、通話時間、アンテナレベルが表示される（画面例５１５）。
【００７７】
〔登録されていない場合〕
〔電話機本体（親機）１で操作する場合〕
次に、図６を参照して、受話子機２が電話機本体（親機）１に載置されておらず、発信元の電話番号が電話帳データ８１に登録されていない場合で、電話機本体（親機）１で操作を行うときの表示画面、およびその遷移について説明する。図６は、電話機本体（親機）１および受話子機２における表示画面例を示す図である。
【００７８】
図６に示すように、着信があると、電話機本体（親機）１および受話子機２ともに着信を示す画面（画面例６０１、および画面例６１１）が表示される。次に、発信元の電話番号が電話帳データ８１に登録されていないので、発信元の電話番号が表示される。なお、発信元の電話番号を認識できない場合は、その旨（例えば、「非通知」）が表示される。ここでは、「１２３４５６７８９０」（発信元の電話番号）が表示されている（画面例６０２、および画面例６１２）。
【００７９】
ここで、発信元の電話番号が登録されていないので、電話機本体（親機）１において発信元に対し、名前を確認するメッセージが送信される。このとき、電話機本体（親機）１の表示部（親機）５０には発信元の電話番号と「お名前確認中」との表示がされる（画面例６０３）。また、受話子機２の表示部（子機）２０４にも、電話機本体（親機）１と同じ表示がされる（画面例６１３）。
【００８０】
次に、電話機本体（親機）１の表示部（親機）５０には、「［１］：繰り返し  ［０］：拒否する」と表示される（画面例６０４）。これは、発信元に対し、名前を確認するメッセージを再度送信するか、または着信を拒否するかをユーザに選択させる画面である。ここでは、「１」が選択された場合、名前を確認するメッセージを再度送信し、「０」が選択された場合、着信を拒否する。また、受話子機２の表示部（子機）２０４にも、電話機本体（親機）１と同じ表示がされる（画面例６１４）。
【００８１】
その後、電話機本体（親機）１において「１」が選択されると、画面例６０３と同様に、発信元の電話番号と「お名前確認中」との表示がされる（画面例６０５ａ）。また、電話機（親機）１において「０」が選択されると、「お断り応答中  お断り番号に登録します」との表示がされる（画面例６０５ｂ）。一方、このときの受話子機２の表示部（子機）２０４には、電話機本体（親機）１において応答している旨の表示がされる（画面例６１５）。
【００８２】
その後、受話子機２のオフフックキー（図示せず）を押下した場合、オフフックとなり、受話子機２で通話可能な状態となる。このとき、電話機本体（親機）１の表示部（親機）５０には、「通話録音開始  ［停止］で終了  録音は最大約１０分」と表示される（画面例６０６）。これは、電話機本体（親機）１における処理の内容を示している。また、受話子機２の表示部（子機）２０４には「通話録音開始  停止は［メニュー］から選択」と表示される（画面例６１６）。
【００８３】
そして、通話が開始されると、電話機本体（親機）１の表示部（親機）５０には、電話番号、通話時間、操作説明が表示される（画面例６０７）。また、受話子機２の表示部（子機）２０４には、発信元の電話番号、通話時間、アンテナレベルが表示される（画面例６１７）。
【００８４】
〔受話子機２で操作する場合〕
次に、図７を参照して、受話子機２が電話機本体（親機）１に載置されておらず、発信元の電話番号が電話帳データ８１に登録されていない場合で、受話子機２で操作を行うときの表示画面、およびその遷移について説明する。図７は、電話機本体（親機）１および受話子機２における表示画面例を示す図である。
【００８５】
図７に示すように、着信があると、電話機本体（親機）１および受話子機２ともに着信を示す画面（画面例７０１、および画面例７１１）が表示される。次に、発信元の電話番号が電話帳データ８１に登録されていないので、発信元の電話番号が表示される。なお、発信元の電話番号を認識できない場合は、その旨（例えば、「非通知」）が表示される。ここでは、「１２３４５６７８９０」（発信元の電話番号）が表示されている（画面例７０２、および画面例７１２）。
【００８６】
ここで、発信元の電話番号が登録されていないので、電話機本体（親機）１において発信元に対し、名前を確認するメッセージが送信される。このとき、電話機本体（親機）１の表示部（親機）５０には発信元の電話番号と「お名前確認中」との表示がされる（画面例７０３）。また、受話子機２の表示部（子機）２０４にも、電話機本体（親機）１と同じ表示がされる（画面例７１３）。
【００８７】
次に、電話機本体（親機）１の表示部（親機）５０には、「［１］：繰り返し  ［０］：拒否する」と表示される（画面例７０４）。これは、発信元に対し、名前を確認するメッセージを再度送信するか、または着信を拒否するかをユーザに選択させる画面である。ここでは、「１」が選択された場合、名前を確認するメッセージを再度送信し、「０」が選択された場合、着信を拒否する。また、受話子機２の表示部（子機）２０４にも、電話機本体（親機）１と同じ表示がされる（画面例７１４）。
【００８８】
その後、受話子機２において「繰り返し」が選択されると、画面例７１３と同様に、発信元の電話番号と「お名前確認中」との表示がされる（画面例７１５ａ）。また、受話子機２において「拒否する」が選択されると、「お断り応答中  お断り番号に登録します」との表示がされる（画面例７１５ｂ）。一方、このときの電話機本体（親機）１の表示部（親機）５０にも、受話子機２と同様に、繰り返しが選択された場合、発信元の電話番号と「お名前確認中」との表示がされる（画面例７０５ａ）。また、「拒否する」が選択された場合、「お断り応答中  お断り番号に登録します」との表示がされる（画面例７０５ｂ）。
【００８９】
その後、電話機本体（親機）１の表示部（親機）５０には、画面例７０４と同様の表示がされ（画面例７０６）、受話子機２の表示部（子機）２０４には、画面例７１４と同様の表示がされる（画面例７１６）。
【００９０】
そして、電話機本体（親機）１においてスピーカボタンが押下されると、着信に応答する。このとき、電話機本体（親機）１の表示部（親機）５０には「通話録音開始  ［停止］で終了  録音は最大約１０分」と表示される（画面例７０７）。これは、電話機本体（親機）１における処理の内容を示している。また、受話子機２の表示部（子機）２０４には、「受話子機  外線使用中」と表示されるとともに、アンテナレベルが表示される（画面例７１７）。
【００９１】
そして、通話が開始されると、電話機本体（親機）１の表示部（親機）５０には、電話番号、通話時間、操作説明が表示される（画面例７０８）。また、受話子機２の表示部（子機）２０４には、発信元の電話番号、通話時間、アンテナレベルが表示される（画面例７１８）。
【００９２】
〔親子電話機１００における処理の流れ〕
次に、図８、９を参照して、親子電話機１００の受話子機２における処理の流れを説明する。図８、９は、親子電話機１００の受話子機２における処理の流れを示すフローチャート図である。
【００９３】
図８に示すように、親子電話機１００に着信があると（Ｓ１０１）、電話機本体（親機）１にて発信元電話番号が電話帳データ８１に登録されているか否かが判定される（Ｓ１０２）。そして、発信元電話番号が電話帳データ８１に登録されていると判定されると（Ｓ１０２でＹＥＳ）、その旨の通知を受けた受話子機２では、表示部（子機）２０４に発信者の情報（電話番号、氏名等）を表示する（Ｓ１０３）。その後、着信に対し、電話機本体（親機）１で応答（スピーカボタン押下）されると（Ｓ１０４でＹＥＳ）、受話子機２では、表示部（子機）２０４に「外線使用中」と表示する（Ｓ１０５）。
【００９４】
一方、電話機本体（親機）１で応答しない（Ｓ１０４でＮＯ）、または電話機本体（親機）１で応答後に、受話子機２で応答すると（Ｓ１０６でＹＥＳ）、受話子機２では表示部（子機）２０４に通話中のメニューを表示するとともに、通話処理を開始する（Ｓ１０７）。なお、受話子機２での応答は、受話子機２を電話機本体（親機）１に載置された状態から載置されていない状態にするか、または受話子機２の入力受付部（子機）２０７に含まれるオフフックボタンの押下により可能である。また、電話機（親機）１で応答することなく、受話子機２でも応答しない場合（Ｓ１０６でＮＯ）、ステップＳ１０９に進み回線を切断する。
【００９５】
また、通話が終了すると（Ｓ１０８でＹＥＳ）、電話機本体（親機）１にその旨を通知することにより、電話機本体（親機）１にて回線を切断して（Ｓ１０９）、処理が終了する。
【００９６】
一方、ステップ１０２で、電話機本体（親機）１で発信元電話番号が電話帳データ８１に登録されていないと判定された場合（Ｓ１０２でＮＯ）、未登録処理に進む（Ｓ１１０）。未登録処理の詳細について、図９を参照して説明する。
【００９７】
図９に示すように、未登録処理では、まず、受話子機２は表示部（子機）２０４に発信元電話番号を表示する（Ｓ２０１、表示ステップ）。なお、非通知等により発信元電話番号を認識することができない場合は、何も表示しなくてもよいし、非通知である旨を表示するものであってもよい。
【００９８】
次に、受話子機２の載置判定部２０２は、受話子機２が電話機本体（親機）１に載置されているか否かを判定する（Ｓ２０２、載置判定ステップ）。電話機本体（親機）１に載置されている場合（Ｓ２０２でＹＥＳ）、受話子機２は表示部（子機）２０４に親機対応中表示を行う（Ｓ２０３、表示制御ステップ）。具体的には、上述した画面例４１４のように、電話機（親機）１で自動応答処理が実行されていることを示す表示を行う。
【００９９】
一方、電話機本体（親機）１に載置されていない場合（Ｓ２０２でＮＯ）、受話子機２は表示部（子機）２０４に、電話機本体（親機）１と同様の表示を行う（Ｓ２０４、表示制御ステップ）。具体的には、上述した画面例６１４、画面例７１４のように、ユーザの操作を求める表示を行う。
【０１００】
その後、着信に対し、電話機本体（親機）１で応答（スピーカボタン押下）されると（Ｓ２０５でＹＥＳ）、受話子機２では、表示部（子機）２０４に「外線使用中」と表示する（Ｓ２０６）。
【０１０１】
一方、電話機本体（親機）１で応答しない（Ｓ２０５でＮＯ）、または電話機本体（親機）１で応答後に、受話子機２で応答すると（Ｓ２０７でＹＥＳ）、受話子機２では表示部（子機）２０４に通話中のメニューを表示するとともに、通話処理を開始する（Ｓ１０７）。
【０１０２】
その後、通話が終了すると（Ｓ１０８でＹＥＳ）、電話機本体（親機）１にその旨を通知することにより、電話機本体（親機）１にて回線を切断して（Ｓ１０９）、処理が終了する。
【０１０３】
また、電話機（親機）１で応答せず、かつ受話子機２で応答せずに（Ｓ２０７でＮＯ）、所定時間が経過したと電話機本体（親機）１が判断すると（Ｓ２０８でＹＥＳ）、電話機本体（親機）１は回線を切断する（Ｓ２０９）。
【０１０４】
以上が、受話子機２における処理の流れである。
【０１０５】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【０１０６】
上述した実施形態１では、受話子機２が電話機本体（親機）１に載置中は、受話子機２において親子電話機１００に対する操作を求める表示（非選択画面）はしない構成を説明した。
【０１０７】
本実施形態では、受話子機２において、親子電話機１００に対する操作を求める表示をせずに、他の表示（例えば、実施形態１における画面例４１４）後、所定時間が経過したとき、親子電話機１００に対する操作を求める画面（選択画面、実施例１における画面例４０４）を表示する。
【０１０８】
本実施形態によれば、受話子機２に選択画面がいきなり表示されるのではなく、まず、
非選択画面が表示され、所定時間経過後、選択画面が表示される。
【０１０９】
これにより、選択画面が表示されるまでに、間を取ることができ、ユーザがあわてて受話子機２を取ってしまう（電話機本体（親機）１に載置されている状態から載置されていない状態になってしまう）ことを防止することができるとともに、所定時間経過後は、受話子機２にも選択画面が表示されるので、選択画面をユーザに確実に認識させることができる。
【０１１０】
〔実施形態３〕
上述した実施形態では、着信中に、受話子機２を取った場合、すなわち、受話子機２が電話機本体（親機）１に載置された状態から載置されていない状態となった場合、当該着信に応答する構成を説明した。
【０１１１】
本実施形態では、着信中に、受話子機２を取ったとしても当該着信に応答しない。そして、表示制御部（子機）２０３は、表示部（子機）２０４に、電話機本体（親機）１または受話子機２に対する操作を求める情報（例えば、画面例７１４）を表示する。
【０１１２】
受話子機２を取ったとしても、着信に応答しない場合、ユーザが受話子機２を操作するために受話子機２を取っても何の問題も生じない。
【０１１３】
そこで、本実施形態では、着信中に、受話子機２が電話機本体（親機）１に載置された状態から載置されていない状態となった場合、電話機（親機）１または受話子機２に対する操作を求める情報を表示する。
【０１１４】
〔実施形態４〕
（ソフトウェアによる実現例）
親子電話機１００（電話機本体（親機）１および受話子機２）の制御ブロック（特に、制御部１０（通話処理部１１、着信処理部１２、登録判定部１３、表示制御部（親機）１４）、載置判定部２０２、表示制御部（子機）２０３）は、集積回路（ＩＣチップ）等に形成された論理回路（ハードウェア）によって実現してもよいし、ＣＰＵ（Central Processing Unit）を用いてソフトウェアによって実現してもよい。
【０１１５】
後者の場合、親子電話機１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１６】
〔まとめ〕
本発明の態様１に係る通信装置（受話子機２）は、親子電話機（１００）における親機（電話機本体（親機）１）に載置される子機となる通信装置であって、着信中に、情報を表示する表示部（表示部（子機）２０４）と、上記親機に載置されているか否かを判定する載置判定部（２０２）と、上記親機に載置されているか否かにより、着信中に上記表示部に表示する上記情報の内容を異ならせる表示制御部（表示制御部（子機）２０３）と、を備えている構成である。
【０１１７】
上記の構成によれば、親機に載置されているか否かによって、着信中に表示部に表示される情報の内容が異なる。これにより、親機に載置されているか否かに応じた情報の表示を行うことができる。例えば、親機に載置されているか否かによって、着信中の自装置の機能が異なる場合、それぞれの機能に対応させた情報の表示を行うことができる。
【０１１８】
本発明の態様２に係る通信装置は、上記の態様１において、上記親子電話機は、着信中に、上記載置判定部が上記親機に載置された状態から載置されない状態となったと判定したとき該着信に応答するものであり、上記表示制御部は、上記親機に載置されている場合、上記親機および上記子機に対する操作を求める情報とは異なる情報を上記表示部に表示することを特徴とする構成としてもよい。
【０１１９】
上記の構成によれば、子機である自機が親機に載置されている場合、上記表示部に親機および子機に対する操作を求めるような情報を表示しない。これにより、ユーザが意図しない応答を行ってしまうことを防止することができる。
【０１２０】
これは、以下の理由による。子機の表示部に、操作を求めるような情報が表示されると、ユーザは、子機を操作しようとして、子機を持ち上げる、すなわち、親機に載置されている状態から親機に載置されていない状態にしようとすることが起こりやすい。そして、子機が持ち上げられると、着信に対し応答してしまう。このように、ユーザは、着信に対して応答することを意図していないにもかかわらず、着信に対し応答してしまうということが生じる可能性がある。
【０１２１】
一方、子機の表示部に操作を求めるような表示をしなければ、上記のようにユーザが応答を意図せずに子機を持ち上げてしまうということは起こり難い。よって、上記の構成によれば、ユーザが意図しない応答を行ってしまうことを防止することができる。
【０１２２】
本発明の態様３に係る通信装置は、上記態様２において、上記子機に対する操作を受け付ける操作受付部（入力受付部（子機）２０７）と、上記親機に載置中は、上記操作受付部における操作の受付を停止する操作制御部（載置判定部２０２）と、を備えている構成としてもよい。
【０１２３】
上記の構成によれば、載置中に子機に対する操作の受付を停止する装置において、ユーザが意図しない応答を行ってしまうことを防止することができる。
【０１２４】
本発明の態様４に係る通信装置は、上記の態様２において、上記表示制御部は、上記親機および上記子機に対する操作を求める情報とは異なる情報を上記表示部に表示後、上記親機および上記子機に対する操作を求める情報を上記表示部に表示する構成としてもよい。
【０１２５】
上記の構成によれば、親機および子機に対する操作を求める情報とは異なる情報を表示後に、親機および子機に対する操作を求める情報を表示する。これにより、ユーザに対し、いきなり、親機および子機に対する操作を求める情報を提示することがなくなるので、ユーザに間を与えることができる。よって、ユーザが慌てて子機を持ち上げて操作を行ってしまうということを防止することができ、意図せずに着信に応答してしまうということを抑制することができる。
【０１２６】
本発明の態様５に係る通信装置は、上記の態様１〜４のいずれかにおいて、上記表示制御部は、上記着信の発信元が登録されていない場合、上記親機に載置されているか否かにより、着信中に上記表示部に表示する上記情報の内容を異ならせる構成としてもよい。
【０１２７】
発信元が登録されている場合は、発信元を容易に認識できるので、ユーザが意図せずに応答してしまうという可能性は低い。そして、上記の構成によれば、ユーザが意図せずに応答してしまう可能性がある、発信元が登録されていない場合、表示部の表示を子機が親機に載置されているか否かにより異ならせることができる。
【０１２８】
本発明の態様６に係る親子電話機は、子機が親機に載置される親子電話機であって、上記親機および上記子機の両方に、表示部（表示部（親機）５０、表示部（子機）２０４）および操作受付部（入力受付部（親機）６０、入力受付部（子機）２０７）が設けられ、着信中に、上記子機が、上記親機に載置された状態から載置されない状態となったとき、該着信に応答するものであり、着信中、上記親機の表示部にのみ、親機に対する操作を求める情報を表示する表示制御部を備えている構成である。
【０１２９】
上記の構成によれば、親機に対する操作を求める情報は、親機の表示部にのみ表示される。これにより、ユーザが誤って子機を持ち上げて操作してしまうことを防止することでき、ひいては、ユーザが意図せずに着信に応答してしまうことを防止することができる。
【０１３０】
本発明の態様７に係る親子電話機は、上記態様１において、着信中に、上記載置判定部が上記親機に載置された状態から載置されない状態となったと判定したとき、上記親子電話機は、上記着信に応答せず、上記表示制御部は、上記親機および上記子機に対する操作を求める情報を上記表示部に表示するものであってもよい。
【０１３１】
上記の構成によれば、ユーザが子機を親機から取る、すなわち子機が親機に載置された状態から載置されていない状態となっても着信に応答しない。よって、この場合に、ユーザに操作を求める情報を表示しても、ユーザが意図せずに着信に応答してしまうということがない。したがって、ユーザが意図せずに着信に応答してしまうということがない場合に、ユーザに必要な情報を適切に情報を表示することができる。
【０１３２】
本発明の態様８に係る通信装置の制御方法は、親子電話機における親機に載置される子機となる通信装置の制御方法であって、着信中に、表示部に情報を表示する表示ステップ（Ｓ２０１）と、上記親機に載置されているか否かを判定する載置判定ステップ（Ｓ２０２）と、上記載置判定ステップで判定された上記親機に載置されているか否かにより、上記表示ステップで表示している上記情報の内容を異ならせる表示制御ステップ（Ｓ２０３、Ｓ２０４）と、を含む方法である。
【０１３３】
本発明の各態様に係る通信装置は、コンピュータによって実現してもよく、この場合には、コンピュータを上記通信装置が備える各部（ソフトウェア要素）として動作させることにより上記通信装置をコンピュータにて実現させる通信装置の制御プログラム、およびそれを記録したコンピュータ読み取り可能な記録媒体も、本発明の範疇に入る。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３５】
１電話機本体（親機）    （親機）
２  受話子機            （子機、通信装置）
１０  制御部
１１  通話処理部
１２  着信処理部
１３  登録判定部
２０  外線通信部
３０  通信部（親機）
４０  鳴動部（親機）
５０  表示部（親機）      （表示部）
６０  入力受付部（親機）
７０  表示制御部
８０  記憶部
８１  電話帳データ
１００  親子電話機
２０１  通信部（子機）
２０２  載置判定部          （操作制御部）
２０３  表示制御部（子機）  （表示制御部）
２０４  表示部（子機）      （表示部）
２０５  音声入出力部（子機）
２０６  鳴動部（子機）
２０７  入力受付部（子機）  （操作受付部）
【図１】
0006699967.tif 000002
【図２】
0006699967.tif 000003
【図３】
0006699967.tif 000004
【図４】
0006699967.tif 000005
【図５】
0006699967.tif 000006
【図６】
0006699967.tif 000007
【図７】
0006699967.tif 000008
【図８】
0006699967.tif 000009
【図９】
0006699967.tif 000010